(57)【要約】【課題】フレーム側には加工を施すことなく、簡単な構成かつ簡単な操作で、額縁の角部のように２個のフレームを連結したり、それ以上の個数のフレームを平面状又は立体状に連結することができるようにしたフレーム連結具を提供する。【解決手段】フレーム連結具１は連結すべきフレーム２、２の端部の内径に応じて形成された少なくとも２個以上の挿入片３を有すると共に、夫々の挿入片３の端部から途中までを長手方向に二分するように形成した長形凹部４の両側に弾性変形可能な拡開片５、５が設けられ、長形凹部４の内径よりも大なる外径を有するレバー６を長形凹部４に回動自在に設け、挿入片３をフレーム２の内径に挿入した後にレバー６を倒して長形凹部４に圧入することにより、両側の拡開片５、５を横方向に拡大して、拡開片５、５がフレーム２の内側両壁を押圧することによって固定状態に結合するようにした。【選択図】図５
2007117406.tif 000002
【特許請求の範囲】
【請求項１】
フレームの端部同士を互いに突き合わして結合するためのフレーム連結具であって、該フレーム連結具は前記連結すべきフレームの端部の内径に応じて形成された少なくとも２個以上の挿入片を有すると共に、夫々の挿入片の端部から途中までを長手方向に二分するように形成した長形凹部の両側に弾性変形可能な拡開片が設けられ、前記長形凹部の内径よりも大なる外径を有するレバーが前記長形凹部に回動自在に設けられ、前記挿入片を前記フレームの内径に挿入した後に前記レバーを倒して前記長形凹部に圧入することにより、前記両側の拡開片を横方向に拡大して、前記拡開片が前記フレームの内側両壁を押圧することによって固定状態に結合するようにしたことを特徴とするフレーム連結具。
【請求項２】
前記レバーは、前記挿入片の長形凹部の内側に設けられた溝形状の軸受凹部に着脱自在に挿着されるようにしたことを特徴とする請求項１記載のフレーム連結具。
【請求項３】
前記フレーム連結具は、２個の挿入片をＬ字形に形成してなることを特徴とする請求項１又は２記載のフレーム連結具。
【請求項４】
前記フレーム連結具は、３個の挿入片を平面状または立体状の３方向に形成してなることを特徴とする3個の挿入片を平面状または立体状の3方向に形成してなることを特徴とする請求項１又は２記載のフレーム連結具。
【請求項５】
前記フレーム連結具は、４個の挿入片を平面状または立体状の４方向に形成してなることを特徴とする請求項１又は２記載のフレーム連結具。
【発明の詳細な説明】
【技術分野】
【０００１】
本発明は、例えば額縁等に使用しているフレームを角部で連結したり、フレームを立体的に連結することができるフレーム連結具に関する。
【背景技術】
【０００２】
従来から知られている額縁フレームの連結具としては、例えば、特許文献１に示すように、プラスチック製のＬ字形コーナー連結具３０を介して、額縁が縦横両フレーム３１、３１を４５度の切断端面３２で互いに押し付ける突合せ固定手段３３を備え、両挿入片３４、３４は、額縁フレーム３１の外側壁３５に接合して嵌入される縦巾片３６、３６と、裏側壁３７に接合して嵌入される横巾片３８、３８とからなる断面Ｌ字形を有するものである。
【０００３】
ところで、このような従来のコーナー連結具３０は、両挿入片３４、３４を額縁の縦横両フレーム３１、３１の内部に挿入した後、その固定状態を維持するために、夫々の挿入片３４、３４に設けられた逆止爪３９をフレーム３１側に形成された抜け穴４０に係止すると共に、挿入片３４に設けられた弾性片４１をフレーム３１側に形成された切欠溝４２に係止する構成としてあり、このためフレーム３１側に抜け穴４０や切欠溝４２等の加工が必要になるものであった。
【０００４】
さらに、上記のように夫々の挿入片３４の逆止爪３９をフレーム３１側の抜け穴４０に係止することによって挿入片３４の抜け出しを防止するようにした構成の場合、逆止爪３９と抜け穴４０の形成位置にズレが生じるおそれがあり、そのため額縁の縦横両フレーム３１、３１の切断端面３２、３２の突合せにガタが生じたりして見映えが悪くなるという欠点があった。
【特許文献１】特開２００３−３３９４９７号公報
【発明の開示】
【発明が解決しようとする課題】
【０００５】
本発明は、上記の事情に鑑みてなされたもので、フレーム側には加工を施すことなく、簡単な構成かつ簡単な操作で、例えば額縁の角部のように２個のフレームを連結したり、又はそれ以上の個数のフレームを平面状又は立体状に連結することができるフレーム連結具を提供することを目的とする。
【課題を解決するための手段】
【０００６】
上記の目的を達成するために、本発明の請求項１のフレーム連結具は、フレームの端部同士を互いに突き合わして結合するためのフレーム連結具であって、該フレーム連結具は前記連結すべきフレームの端部の内径に応じて形成された少なくとも２個以上の挿入片を有すると共に、夫々の挿入片の端部から途中までを長手方向に二分するように形成した長形凹部の両側に弾性変形可能な拡開片が設けられ、前記長形凹部の内径よりも大なる外径を有するレバーが前記長形凹部に回動自在に設けられ、前記挿入片を前記フレームの内径に挿入した後に前記レバーを倒して前記長形凹部に圧入することにより、前記両側の拡開片を横方向に拡大して、前記拡開片が前記フレームの内側両壁を押圧することによって固定状態に結合するようにしたことを特徴とする。
【０００７】
また、本発明の請求項２のフレーム連結具は、請求項１において、前記レバーは、前記挿入片の長形凹部の内側に設けられた溝形状の軸受凹部に着脱自在に挿着されるようにしたことを特徴とする。
【０００８】
また、本発明の請求項３のフレーム連結具は、請求項１又２において、前記フレーム連結具は、２個の挿入片をＬ字形に形成してなることを特徴とする。
【０００９】
また、本発明の請求項４のフレーム連結具は、請求項１又２において、前記フレーム連結具は、３個の挿入片を平面状または立体状の３方向に形成してなることを特徴とする。
【００１０】
さらに、本発明の請求項５のフレーム連結具は、請求項１又２において、前記フレーム連結具は、４個の挿入片を平面状または立体状の４方向に形成してなることを特徴とする。
【発明の効果】
【００１１】
本発明のフレーム連結具は、上記のように構成されているため、挿入片をフレームの端部から内部に挿入し、レバーを回動して長形凹部に圧入した位置で、挿入片をフレームに固定することができる。従って、フレーム側には加工を施すことなく、フレームの端部同士を互いに突き合わして結合することが可能であり、本発明を額縁フレームの角部の連結に使用した場合、突合せにガタが生じることがなく、見映えの良い結合状態となる。
【００１２】
また、本発明のフレーム連結具は、長形凹部が形成された２個以上の挿入片とレバーとの組み合わせだけで構成されているため、非常に簡単な構成であり、安価に製造するすることができるという利点がある。
【００１３】
さらに、本発明のフレーム連結具は、上記のように長形凹部が形成された２個以上の挿入片とレバーとの組み合わせだけで構成されているため、挿入片の個数や方向を変えるだけで、様々なフレームの連結具として使用することができ、平面状に連結するフレームだけではなく、立体状に連結するフレームにも利用することが可能となる。
【発明を実施するための最良の形態】
【００１４】
以下、本発明の実施例について図面を参照しながら説明する。
【実施例１】
【００１５】
本発明によるフレーム連結具は、図１に示すように、フレーム２、２の端部同士を互いに突き合わして結合するためのフレーム連結具１Ａである。該フレーム連結具１Ａは連結すべきフレーム２、２の端部の内径に応じて形成された少なくとも２個以上の挿入片３を有すると共に、夫々の挿入片３の端部から途中までを長手方向に二分するように形成した長形凹部４の両側に弾性変形可能な拡開片５、５が設けられ、長形凹部４の内径よりも大なる外径を有するレバー６が該長形凹部４に回動自在に設けられてなるものである。
【００１６】
このようなフレーム連結具１Ａについて詳細に述べると、本実施例において、図１〜図８に示すフレーム連結具１Ａは額縁フレーム２の角部の連結具として用いられたものである。このフレーム連結具１Ａが適用される額縁フレーム２は、図１に示すように、その裏側（図１のフレーム２の上側）にフレーム２の長手方向の両側において互いに対向する断面コ字形の押さえ枠７、７を有し、これらの押さえ枠７、７の間は平坦且つ円滑な表面８に形成され、さらにフレーム２の内側に沿って不図示の背板や透明板や絵画等を積層して挿入するための開口９を有する。このような額縁フレーム２の端部を４５°の角度に形成して、互いに突き合わすことによって、例えば図８に示すような額縁１０の各角部を構成するものである。
【００１７】
図２に示すように、実施例のフレーム連結具１Ａは２個の挿入片３、３をＬ字形に形成した構成となる。夫々の挿入片３の断面形状は、上記のフレーム２の内径に応じて形成され、フレーム２の両側の断面コ字形の押さえ枠７、７に係止されるように、挿入片３の片側両端に嵌合突起３ａ、３ａを突出した形状を有し、この両側の嵌合突起３ａ、３ａをフレーム２側の両側の断面コ字形の押さえ枠７、７間内に嵌め入れて押し込むことによって装着することができる。
【００１８】
また、夫々の挿入片３の端部から途中まで長手方向に二分するように形成された長形凹部４を有し、その長形凹部４の両側に弾性変形可能な拡開片５、５が設けられている。なお、本実施例のフレーム連結具１Ａの材料としてアクリル等の硬質の合成樹脂を用いることにより、挿入片３の長形凹部４の両側に形成された拡開片５、５は微小に変形でき、その変形に伴って弾性力を発揮することができる。
【００１９】
また、本実施例において、図３に示すように、上記の挿入片３に形成された長形凹部４の内径よりも大なる外径を有するレバー６が該長形凹部４に回動自在に設けられている。より具体的には、図２又は図３に示すように、挿入片３の長形凹部４の奥側の両壁に溝形状に形成された軸受凹部１１、１１が着脱自在に形成されている。
【００２０】
一方、レバー６の端部には、長形凹部４の両側の軸受凹部１１、１１に嵌合する突起軸６ａ、６ａが形成され、これらの突起軸６ａ、６ａを長形凹部４の両側の軸受凹部１１、１１に挿着することによってレバー６を回動自在に設けることができる。
【００２１】
なお、レバー６の先端部には平状に形成された指先の引掛部６ｂが形成されている。また、このような構成によって、レバー６の両側の突起軸６ａ、６ａは長形凹部４の軸受凹部１１、１１から抜き出すことができる。従って、このレバー６は別部材として交換可能である。
【００２２】
上記の構成において、レバー６は各挿入片３の長形凹部４の内径（図３のＤ１）よりも微小に大なる外径（図３のＤ２）を有するため、レバー６を倒して挿入片３の長形凹部４に圧入することにより、両側の拡開片５、５は（挿入片３の元の外径Ｌ１）から横方向に微小に拡大して、挿入片３の外径（Ｌ２）を広げることとなる。
【００２３】
上記のように構成されたフレーム連結具１Ａを使用して額縁フレームの角部を連結するには、図４に示すように、両側の挿入片のレバーを立てた状態にし、片側の挿入片３の両側の嵌合突起３ａ、３ａを１個のフレーム２の両側の押さえ枠７、７に嵌め入れて押し込むことによって装着する。
【００２４】
次いで、図５に示すように挿入片３をフレーム２に装着した側のレバー６を長形凹部４に倒して圧入すると、該挿入片３の両側の拡開片５、５の外径が両側横方向に拡大して、フレーム２の押さえ枠７、７の内側両壁を押圧することによって固定状態に結合することができる。
【００２５】
次いで、図６に示すように、上記と同様にして、残りの挿入片３の両側の嵌合突起３ａ、３ａを他のフレーム２の両側の押さえ枠７、７に嵌め入れて押し込むことによって装着し、図７に示すように、レバー６を長形凹部４に倒し込んで圧入し、該挿入片３の両側の拡開片５、５の外径を両側横方向に拡大して、フレーム２の押さえ枠７、７の内側両壁を押圧することによって固定状態に結合する。このような連結フレーム１Ａを額縁１０の四方の角部に施すことによって、図８に示す額縁１０を得ることができる。
【００２６】
上記の構成のフレーム連結具１Ａによれば、挿入片３をフレーム２の端部から内部に挿入し、レバー６を回動して長形凹部４に圧入した位置で、挿入片３をフレーム２に固定するだけで、フレーム２の端部同士を互いに突き合わして結合することが可能であり、フレーム２、２側には加工を施すことなく使用することができる。また、フレーム２、２の突合せを精密に接合することができ、ガタが生じることがなく、見映えの良い結合状態となる。
【実施例２】
【００２７】
本発明のフレーム連結具１Ａは、上記のように長形凹部４が形成された２個の挿入片３、３とレバー６との組み合わせだけで構成され、挿入片３の個数や方向を変えるだけで、様々なフレームの連結具として使用することができ、平面状に連結するフレーム２だけではなく、立体状に連結するフレームにも利用することが可能となる。
【００２８】
以下、その具体例として、図９〜図１２を参照しながら説明する。ただし、以下に示す全てのフレーム連結具１Ｂ〜１Ｅにおいて、夫々の挿入片３に形成した長形凹部４及びレバー６は同様に構成されている。
【００２９】
図９に示すフレーム連結具１Ｂは、２個の挿入片３を平面状のＬ字形に形成してなるものであり、例えば、額縁等のフレーム２、２を途中で直状に連結して長尺のフレームとして構成する際に用いることができる。
【００３０】
また、図１０に示すフレーム連結具１Ｃは、３個の挿入片３を平面状または立体状の３方向に形成してなるものである。図１１に示すフレーム連結具１Ｄは、４個の挿入片３を平面状の４方向に形成してなるものである。これらのフレーム連結具１Ｅ、１Ｄは、不図示であるが、例えば２面連続の額縁面を有する額縁、４面連続の額縁面を有する額縁等に使用することができる。
【００３１】
さらに、図１２に示すフレーム連結具１Ｅは、３個の挿入片３を立体状の３方向に形成してなるものであり、例えば立体フレームの角部において、フレーム連結具１Ｅの三方に設けられた挿入片３、３、３を三方のフレーム２、２、２に結合して立体フレームを構成することが可能となる。
【産業上の利用可能性】
【００３２】
本発明のフレーム連結具は、フレーム側には加工を施すことなく、簡単な構成かつ簡単な操作で、額縁の角部のように２個のフレームを連結したり、それ以上の個数のフレームを平面状又は立体状に連結することができるフレーム連結具として利用可能である。
【図面の簡単な説明】
【００３３】
【図１】本発明による実施例１のフレーム連結具を２個のフレームに挿入する前の斜視図である。
【図２】本発明による実施例１のフレーム連結具の平面図である。
【図３】(ａ)は図２のＡ−Ａ線断面図であり、(ｂ)はレバーを立てた状態の挿入片の端面図であり、(ｃ)はレバーを倒した状態の挿入片の端面図である。
【図４】本発明による実施例１のフレーム連結具の片側挿入片を１個のフレームに挿入した状態を示す斜視図である。
【図５】本発明による実施例１のフレーム連結具の片側挿入片のレバーを倒して圧入した状態を示す斜視図である。
【図６】本発明による実施例１のフレーム連結具の残りの挿入片を他のフレームに挿入した状態を示す斜視図である。
【図７】本発明による実施例１のフレーム連結具の両側挿入片を２個のフレームに挿入してレバーを倒した状態を示す斜視図である。
【図８】本発明による実施例１のフレーム連結具を額縁の四方の角部に使用した結合状態を示す額縁の裏側平面図である。
【図９】本発明による他の実施例のフレーム連結具であって、２個の挿入片を直状に形成した状態を示す平面図である。
【図１０】本発明による他の実施例のフレーム連結具であって、３個の挿入片を平面三方向に設けた斜視図である。
【図１１】本発明による他の実施例のフレーム連結具であって、４個の挿入片を平面四方向に設けた斜視図である。
【図１２】本発明による他の実施例のフレーム連結具であって、３個の挿入片を立体三方向に設けた斜視図である。
【図１３】特許文献１に係るコーナー連結具の部分斜視図である。
【符号の説明】
【００３４】
１Ａ、１Ｂ、１Ｃ、１Ｄ、１Ｅ  フレーム連結具
２  フレーム
３  挿入片
３ａ  嵌合突起
４  長形凹部
５  拡開片
６  レバー
６ａ  突起軸
７  押さえ枠
８  表面
９  開口
１０  額縁
１１  軸受凹部
【図１】
2007117406.tif 000003
【図２】
2007117406.tif 000004
【図３】
2007117406.tif 000005
【図４】
2007117406.tif 000006
【図５】
2007117406.tif 000007
【図６】
2007117406.tif 000008
【図７】
2007117406.tif 000009
【図８】
2007117406.tif 000010
【図９】
2007117406.tif 000011
【図１０】
2007117406.tif 000012
【図１１】
2007117406.tif 000013
【図１２】
2007117406.tif 000014
【図１３】
2007117406.tif 000015